(57)【要約】【課題】  畝上に伏した茎葉を漏れなく刈刃に誘導するとともに、刈り残しなく刈り取ることができるようにする。【解決手段】  本発明の茎葉刈取機１は、機体左右方向に延びる回転軸１６の軸周に取り付けられた刈刃１７と、該回転軸１６の下方から機体前方向における畝Ｕ上面に向かって斜め下方へ突設されたデバイダー２１とを備え、機体４の機体前方向への進行に伴ってデバイダー２１により畝Ｕ上に伏した茎葉を引き起こし、該茎葉を刈刃１７により刈り取るように構成されている。そして、デバイダー２１は、刈刃１７の先端１７ａの下死点位置Ｐ２の近傍を経由するとともに、該近傍から斜め下方へ突設されている。【選択図】      図２
2006136295.tif 000002
【特許請求の範囲】
【請求項１】
機体左右方向に延びる回転軸の軸周に取り付けられた刈刃と、
該回転軸の下方から機体前方向における畝上面に向かって斜め下方へ突設されたデバイダーとを備え、
前記機体の機体前方向への進行に伴って前記デバイダーにより畝上に伏した茎葉を引き起こし、該茎葉を前記刈刃により刈り取るように構成された茎葉刈取機であって、
前記デバイダーは、前記刈刃先端の下死点位置の近傍を経由するとともに、該近傍から斜め下方へ突設された茎葉刈取機。
【請求項２】
前記デバイダーは、正面視で前記下死点位置から機体左右方向にずれた位置を経由するように構成された請求項１記載の茎葉刈取機。
【請求項３】
前記回転軸には、その軸長さ方向における複数箇所に前記刈刃が取り付けられており、
畝上面における茎葉を刈り取るために設けられた前記刈刃は、その先端の下死点位置が、前記デバイダーにおける該下死点位置の側方部位の底面と略同じ、又は該底面よりも低位置となるように構成された請求項２記載の茎葉刈取機。
【請求項４】
前記デバイダーは、先端に弾性体が装備された請求項１〜３のいずれか一項に記載の茎葉刈取機。
【請求項５】
前記デバイダーは、畝上面における畝幅方向縁部よりも内側寄りの位置で茎葉を引き起こすように配設された請求項１〜４のいずれか一項に記載の茎葉刈取機。
【発明の詳細な説明】
【技術分野】
【０００１】
本発明は、圃場に植えられた作物の茎葉を刈り取るため茎葉刈取機に関するものである。
【背景技術】
【０００２】
従来の茎葉刈取機として、特許文献１に記載されたモア装置８１を例示する。このモア装置８１は、図４に示すように、水平方向に延びる回転軸８９の軸周に多数の刈刃９０が装着されている。この種のモア装置８１で、馬鈴薯等の畝上面に倒伏した茎葉を刈り取る場合、機体の進行方向である畝長さ方向へ突設されたデバイダーを設け、該デバイダーにより畝上に伏した茎葉を引き起こして、該茎葉を刈刃９０により刈り取る構成が採用される。このとき、デバイダーと刈刃９０との干渉を避けるため、刈刃９０の移動経路から充分に距離をおいてデバイダーが設けられている。
【０００３】
【特許文献１】特開２０００−２５３７２５号公報
【発明の開示】
【発明が解決しようとする課題】
【０００４】
ところが、上記の茎葉刈取機の構成では、つぎの課題がある。
（１）刈刃９０先端とデバイダーとの隙間が茎の太さより広いと、引き起こした茎が隙間に入り切断できなかったり、切断できなかった茎がデバイダー上に堆積してきて、畝を削ったり崩したりする。
（２）デバイダー先端が剛体のため、畝表土を崩さないためには表土から先端を離して作業する必要があり、茎の引き起こし漏れで刈り残しとなる。
（３）デバイダーが茎の根元から離れた位置にあると、茎がデバイダーで引き起こされる途中で落ち、刈刃９０まで誘導されず刈り残しとなる。
【課題を解決するための手段】
【０００５】
上記課題を解決するために、第１の発明の茎葉刈取機は、
機体左右方向に延びる回転軸の軸周に取り付けられた刈刃と、
該回転軸の下方から機体前方向における畝上面に向かって斜め下方へ突設されたデバイダーとを備え、
前記機体の機体前方向への進行に伴って前記デバイダーにより畝上に伏した茎葉を引き起こし、該茎葉を前記刈刃により刈り取るように構成された茎葉刈取機であって、
前記デバイダーは、前記刈刃先端の下死点位置の近傍を経由するとともに、該近傍から斜め下方へ突設されている。
【０００６】
この構成によれば、前記デバイダーは、前記刈刃が茎葉を切断可能な最も低い位置である前記下死点位置の近傍を経由するように構成されているので、茎葉の引き起こしを最低限で済ますことができる。このため、引き起こす途中の茎葉が前記デバイダーから落ち難く、引き起こした茎葉を漏れなく前記刈刃に誘導することができる。また、前記デバイダーは、前記刈刃先端の近傍を経由するように構成されているので、該デバイダーに載った該茎葉を前記刈刃により刈り残しなく刈り取ることができる。
【０００７】
第２の発明の茎葉刈取機としては、前記第１の発明において、
前記デバイダーは、正面視で前記下死点位置から機体左右方向にずれた位置を経由するように構成された態様を例示する。
【０００８】
この構成によれば、前記刈刃の衝突力に加え、前記デバイダー及び前記刈刃によるせん断力によっても茎葉を切断することができる。
【０００９】
第３の発明の茎葉刈取機としては、前記第２の発明において、
前記回転軸には、その軸長さ方向における複数箇所に前記刈刃が取り付けられており、
畝上面における茎葉を刈り取るために設けられた前記刈刃は、その先端の下死点位置が、前記デバイダーにおける該下死点位置の側方部位の底面と略同じ、又は該底面よりも低位置となるように構成された態様を例示する。
【００１０】
この構成によれば、畝上面における茎葉を刈り取るために設けられた前記刈刃の先端の下死点位置を、畝上面に近づけることができ、畝上面に伏した茎葉の刈り残しを低減することができる。
【００１１】
第４の発明の茎葉刈取機としては、前記第１〜３のいずれかの発明において、
前記デバイダーは、先端に弾性体が装備された態様を例示する。
【００１２】
この構成によれば、前記デバイダーの先端に装備された前記弾性体が畝表土に接触しても、その弾性により畝表土を崩すことを防止できる。このため、前記デバイダーの先端を畝表面に近づけることができ、畝上に伏した茎葉を漏れなく掬い上げるようにすることができる。
【００１３】
第５の発明の茎葉刈取機としては、前記第１〜４のいずれかの発明において、
前記デバイダーは、畝上面における畝幅方向縁部よりも内側寄りの位置で茎葉を引き起こすように配設された態様を例示する。
【００１４】
この構成によれば、前記デバイダーにより、茎の根元に近い位置で茎を引き起こすことができ、茎が引き起こされる途中で落ちて刈り残しとなることを防止できる。
【発明の効果】
【００１５】
本発明に係る茎葉刈取機によれば、畝上に伏した茎葉を漏れなく刈刃に誘導するとともに、刈り残しなく刈り取ることができるという優れた効果を奏する。
【発明を実施するための最良の形態】
【００１６】
図１〜図３は本発明を具体化した一実施形態の茎葉刈取機を示している。本例の茎葉刈取機１は、乗用型であり、図１に示すように、前後の車輪２，３により支持された機体４と、該前後の車輪２，３間に配置されて、圃場Ｈの畝Ｕに植えられた作物の茎葉を刈り取る刈取装置５と、該刈取装置５を機体４に昇降可能に支持する支持部６と、機体４に対して刈取装置５が左右へ傾斜しないようにするローリング防止部７とを備えている。なお、各図において、矢印Ｆは機体前方向を指し示している。
【００１７】
刈取装置５は、図２及び図３に示すように、１行程で２つの畝Ｕにおける茎葉を刈り取るもので、機体左右方向に延出する装置フレーム１５を備えている。装置フレーム１５の下側には、機体左右方向に水平に延びる回転軸１６が回転自在に支持されている。回転軸１６の軸長さ方向の複数箇所（本例では各畝Ｕに対してそれぞれ７箇所）には、３つの刈刃１７（本例ではフレール刃）が軸周に等間隔をおいて取り付けられている。装置フレーム１５の上側には、原動機としてのエンジン１８が設置されており、動力伝動機構１９を介して回転軸１６を回転駆動するようになっている。また、装置フレーム１５の機体左右方向の複数箇所（本例では各畝Ｕに対してそれぞれ２箇所）には、それぞれ回転軸１６の下方から機体前方向における畝Ｕ上面に向かって斜め下方へ突設されたデバイダー２１が支持されている。そして、この刈取装置５は、刈刃１７が畝Ｕ上面付近までくるように、支持部６により下降された状態（図２及び図３の状態）にされ、機体４の機体前方向への進行に伴ってデバイダー２１により畝Ｕ上に伏した茎葉を引き起こし、該茎葉を刈刃１７によりアップカットで刈り取るようになっている。
【００１８】
各刈刃１７は、図３に示すように、先端１７ａが機体左右方向へ二股に分かれている。また、同図に示すように、各畝Ｕ毎に配設された７箇所の刈刃１７のうち、左右両側の刈刃１７は、畝Ｕ側面における茎葉を刈り取るように、回転軸１６の径方向に長く延設されている。これら両刈刃１７の内側に配設された５箇所の刈刃１７は、畝Ｕ上面における茎葉を刈り取るようになっている。これら５箇所の刈刃１７において、デバイダー２１に隣接しない刈刃先端１７ａの下死点位置Ｐ１は、デバイダー２１における該下死点位置Ｐ１の側方部位２１ａの底面と略同じ位置となるように構成されている。また、同刈刃１７において、デバイダー２１に隣接する刈刃先端１７ａの下死点位置Ｐ２は、デバイダー２１における該下死点位置Ｐ２の側方部位２１ａの上面の少し上方位置となるように構成されている。
【００１９】
各畝Ｕ毎に配設された一対のデバイダー２１は、図３に示すように、畝Ｕ上面用の５箇所の刈刃１７において、機体左右両側から１番目の刈刃１７と２番目の刈刃１７との間をそれぞれ経由して、機体前方向かつ斜め下方向の畝Ｕ上面へと延設されることにより、畝Ｕ上面における畝Ｕ幅方向縁部よりも内側寄りの位置で茎葉を引き起こすように配設されている。各デバイダー２１は、装置フレーム１５に対し、筒穴２２ａが機体前方向かつ斜め下方向へ向くように取り付けられた筒状のホルダ部２２と、ホルダ部２２に対するスライド位置調節可能に筒穴２２ａ内に装着され、先端が刈刃１７の下死点位置Ｐ２近傍まで延びるように突設された腕部２３と、該腕部２３の先端に取り付けられ、機体前方向かつ斜め下方向の畝Ｕ上面へと突設された爪部２４と、該爪部２４の先端に取り付けられた弾性体２５とを備えている。デバイダー２１の腕部２３の先端部は、機体４の正面視で、デバイダー２１に隣接する刈刃先端１７ａの下死点位置Ｐ２から機体左右方向にずれた位置に配設されている。このずれの程度としては、特に限定されないが、機体４の正面視でデバイダー２１の腕部２３の先端部と、該デバイダー２１に隣接する刈刃先端１７ａとの隙間が刈取対象の茎の太さより小さいことが好ましく、具体的には約１ｃｍ以下にすることを例示する。なお、ホルダ部２２に対する腕部２３のスライド位置を調節することにより、刈刃１７とデバイダー２１の相対位置を適宜調節することが可能になっている。
【００２０】
以上のように構成された本例の茎葉刈取機１によれば、デバイダー２１は、刈刃１７が茎葉を切断可能な最も低い位置である下死点位置Ｐ２の近傍を経由するように構成されているので、茎葉の引き起こしを最低限で済ますことができる。このため、引き起こす途中の茎葉がデバイダー２１から落ち難く、引き起こした茎葉を漏れなく刈刃１７に誘導することができる。また、デバイダー２１は、刈刃先端１７ａの近傍を経由するように構成されているので、該デバイダー２１に載った該茎葉を刈刃１７により刈り残しなく刈り取ることができる。
【００２１】
また、デバイダー２１は、正面視で刈刃先端１７ａの下死点位置Ｐ２から畝Ｕ幅方向にずれた位置を経由するように構成されているので、刈刃１７の衝突力に加え、デバイダー２１及び刈刃１７によるせん断力によっても茎葉を切断することができる。
【００２２】
また、畝Ｕ上面における茎葉を刈り取るために設けられた刈刃１７は、その先端の下死点位置Ｐ１が、デバイダー２１における該下死点位置Ｐ１の側方部位２１ａの底面と略同じ位置となるように構成されているので、畝Ｕ上面における茎葉を刈り取るために設けられた刈刃１７の先端１７ａの下死点位置Ｐ１を、畝Ｕ上面に近づけることができ、畝Ｕ上面に伏した茎葉の刈り残しを低減することができる。
【００２３】
また、デバイダー２１は、先端に弾性体２５が装備されているので、弾性体２５が畝Ｕ表土に接触しても、その弾性により畝Ｕ表土を崩すことを防止できる。このため、デバイダー２１の先端を畝Ｕ表面に近づけることができ、畝Ｕ上に伏した茎葉を漏れなく掬い上げるようにすることができる。
【００２４】
また、デバイダー２１は、畝Ｕ上面における畝Ｕ幅方向縁部よりも内側寄りの位置で茎葉を引き起こすように構成されているので、該デバイダー２１により、畝Ｕ上面における畝Ｕ幅方向中央部にある茎の根元に近い位置で茎を引き起こすことができ、茎が引き起こされる途中で落ちて刈り残しとなることを防止できる。
【００２５】
なお、本発明は前記実施形態に限定されるものではなく、例えば以下のように、発明の趣旨から逸脱しない範囲で適宜変更して具体化することもできる。
（１）デバイダー２１の畝Ｕ幅方向における位置や、デバイダー２１の高さを調節可能に構成すること。
（２）機体左右方向における腕部２３の先端の幅が異なるデバイダー２１を数種類用意しておき、これらを適宜交換することにより、機体４の正面視でデバイダー２１の腕部２３の先端と、該デバイダー２１に隣接する刈刃先端１７ａとの隙間を調節すること。
（３）デバイダー２１の設置数を適宜増減すること。
【図面の簡単な説明】
【００２６】
【図１】本発明を具体化した一実施形態に係る茎葉刈取機の側面図である。
【図２】同茎葉刈取機における刈取装置の要部を示す側断面図であり、図３のＩＩ−ＩＩ線断面図である。
【図３】同刈取装置の要部を示す正断面図であり、図２のＩＩＩ−ＩＩＩ線断面図である。
【図４】従来の茎葉刈取機としてのモア装置を示す背面図である。
【符号の説明】
【００２７】
１    茎葉刈取機
４    機体
５    刈取装置
１５    装置フレーム
１６    回転軸
１７    刈刃
１７ａ  刈刃先端
１８    エンジン
１９    動力伝動機構
２１    デバイダー
２２    ホルダ部
２２ａ  筒穴
２３    腕部
２４    爪部
２５    弾性体
Ｆ    機体前方向
Ｈ    圃場
Ｐ１  下死点位置
Ｐ２  下死点位置
Ｕ    畝
【図１】
2006136295.tif 000003
【図２】
2006136295.tif 000004
【図３】
2006136295.tif 000005
【図４】
2006136295.tif 000006